(57)【要約】【課題】フィルター面積が小さく、集塵性能がよい小型の電気掃除機を提供すること。【解決手段】集塵部５に設けられた、吸引風と塵埃を分離する塵埃分離部１０と、塵埃分離部１０により分離された塵埃を捕集する塵埃捕集部１８と、集塵部５の外郭に設けられた、塵埃分離部１０と塵埃捕集部１８を連通する突出部１９と、集塵部５の外郭に設けられ、塵埃分離部１０に含塵空気を送り込むための内部空洞の連結部Ａ１４、連結部Ｂ１５と、塵埃分離部１０の天面内側に設けられ吸引風を通過させるメッシュフィルター１６とを備え、塵埃分離部１０の天面内側と前記連結部Ａ１４、連結部Ｂ１５の天面内側とを略一直線上に設けた。これにより、吸引風がメッシュフィルター１６を掃くように流れ塵埃が付着することがないため、フィルター面積が小さく、集塵性能がよい小型の電気掃除機を提供できるようになる。【選択図】図２
2006255253.tif 000002
【特許請求の範囲】
【請求項１】
吸引風を発生させる電動送風機と、前記電動送風機と連通し塵埃を吸引する吸込具と、掃除機本体から着脱自在な集塵部と、前記集塵部の内部に設けられ吸引風と塵埃を分離する塵埃分離部と、前記集塵部の内部に設けられ前記塵埃分離部により分離された塵埃を捕集する塵埃捕集部と、前記集塵部の外郭に設けられ前記塵埃分離部と塵埃捕集部を連通する突出部と、前記集塵部の外郭に設けられ、内部空洞の連結部Ｂを介して下流側の前記塵埃分離部に含塵空気を吸引するための内部空洞の連結部Ａと、前記塵埃分離部の天面内側に設けられ吸引風を通過させるメッシュフィルターとを備え、前記塵埃分離部の天面内側と前記連結部Ａ、Ｂの天面内側とを略一直線上に設けた電気掃除機。
【請求項２】
塵埃分離部と塵埃捕集部とを仕切る塵埃分離部底面に設けられたバイパス用の孔Ａと、前記孔Ａと対向して前記塵埃分離部の天面に設けられたバイパス用の孔Ｂと、前記塵埃分離部の上方に設けられたスポンジフィルターとを備え、前記孔Ａ、穴Ｂを介して、前記塵埃捕集部と前記スポンジフィルターとを連通させた請求項１記載の電気掃除機。
【請求項３】
塵埃分離部の孔Ａの下面に、ネット部材を着脱自在に設けた請求項２記載の電気掃除機。
【発明の詳細な説明】
【技術分野】
【０００１】
本発明は、一般家庭、及び業務用で使われ塵埃を捕集する電気掃除機の集塵構造に関するものである。
【背景技術】
【０００２】
従来のこの種の電気掃除機は図１２のように、有底の集塵室１０１を設け、内部に吸気する吸気口１０２を集塵室１０１の側壁に接線方向に向け設けている。集塵室１０１の上端開口部１０３を覆うように蓋体１０４を設け、この蓋体１０４に排気口１０５を設ける。また集塵室１０１の上端開口部１０３を覆うようにフィルター１０６を取り付けている。電動送風機１０７が運転すると、塵埃は吸込部１０８より吸引され、吸気口１０２より集塵室１０１内に吸気され、集塵室１０１内で遠心分離され、排気はフィルター１０６を通して排気口１０５より排出される（特許文献１参照）。
【特許文献１】特開２００１−１０４２２３号公報
【発明の開示】
【発明が解決しようとする課題】
【０００３】
しかしながら、上記従来の構成では、吸気口１０２より吸引した塵埃がフィルター１０６に付着、目詰まりを起こし、集塵室１０１に塵埃が十分吸引されないまま吸引力が低下するということがあった。またこの目詰まり対策の為、フィルター１０６の面積を大きくすることもあったが、集塵室１０１そのものが大きくなり電気掃除機そのものが大型化してしまうという課題があった。
【０００４】
本発明は上記課題を解決するもので、吸引力が急激に低下するのを防止することで集塵性能を向上させ、かつ小型化を実現した電気掃除機を提供することを目的とする。
【課題を解決するための手段】
【０００５】
上記従来の課題を解決するために本発明は、吸引風を発生させる電動送風機と、前記電動送風機と連通し塵埃を吸引する吸込具と、掃除機本体から着脱自在な集塵部と、前記集塵部の内部に設けられ吸引風と塵埃を分離する塵埃分離部と、前記集塵部の内部に設けられ前記塵埃分離部により分離された塵埃を捕集する塵埃捕集部と、前記集塵部の外郭に設けられ前記塵埃分離部と塵埃捕集部を連通する突出部と、前記集塵部の外郭に設けられ、内部空洞の連結部Ｂを介して下流側の前記塵埃分離部に含塵空気を吸引するための内部空洞の連結部Ａと、前記塵埃分離部の天面内側に設けられ吸引風を通過させるメッシュフィルターとを備え、前記塵埃分離部の天面内側と前記連結部Ａ、Ｂの天面内側とを略一直線上に設けた電気掃除機としたもので、吸引風がメッシュフィルターＡを掃くように流れ、塵埃がメッシュフィルターに付着することなく塵埃を分離できるため、フィルター面積の小さく集塵性能がよい小型の電気掃除機を提供することが出来る。
【発明の効果】
【０００６】
本発明によれば、フィルター面積が小さくても吸引力が急激に低下することを防止でき、集塵性能がよく、かつ、小型化を実現した電気掃除機を提供できる。
【発明を実施するための最良の形態】
【０００７】
第１の発明は、吸引風を発生させる電動送風機と、前記電動送風機と連通し塵埃を吸引する吸込具と、掃除機本体から着脱自在な集塵部と、前記集塵部の内部に設けられ吸引風と塵埃を分離する塵埃分離部と、前記集塵部の内部に設けられ前記塵埃分離部により分離された塵埃を捕集する塵埃捕集部と、前記集塵部の外郭に設けられ前記塵埃分離部と塵埃捕集部を連通する突出部と、前記集塵部の外郭に設けられ、内部空洞の連結部Ｂを介して下流側の前記塵埃分離部に含塵空気を吸引するための内部空洞の連結部Ａと、前記塵埃分離部の天面内側に設けられ吸引風を通過させるメッシュフィルターとを備え、前記塵埃分離部の天面内側と前記連結部Ａ、Ｂの天面内側とを略一直線上に設けたことで、吸引風がメッシュフィルターを掃くように流れ塵埃がメッシュフィルターに付着することなく分離され、フィルター面積が小さくても集塵性能がよく、かつ、小型化の電気掃除機を提供する。
【０００８】
第２の発明は、第１の発明の塵埃分離部と塵埃捕集部とを仕切る塵埃分離部底面に設けられたバイパス用の孔Ａと、前記孔Ａと対向して前記塵埃分離部の天面に設けられたバイパス用の孔Ｂと、前記塵埃分離部の上方に設けられたスポンジフィルターとを備え、前記孔Ａ、穴Ｂを介して、前記塵埃捕集部と前記スポンジフィルターとを連通させたことにより、塵埃捕集部から塵埃分離部に流れる気流をつくり、塵埃捕集部内にたまる塵埃を圧縮して集塵量を増やすことができ集塵性能を向上することができる。
【０００９】
第３の発明は、第２の発明の塵埃分離部の孔Ａの下面に、ネット部材を着脱自在に設けたことにより、孔Ａが詰まり難くし、吸引力が持続する電気掃除機を提供することができる。
【００１０】
以下、本発明の実施の形態について、図面を参照しながら説明する。なお、この実施の形態によりこの発明が限定されるものではない。
【００１１】
（実施の形態１）
本発明の第１の実施の形態について、図１〜図４を用いて説明する。
【００１２】
図１は、本発明の電気掃除機の正面図である。本発明の電気掃除機は、下部に床面の塵埃を吸引する吸込具１、吸引風を発する電動送風機２を内蔵した掃除機本体３、掃除機本体３の上部に掃除機本体３を持ち運びする際の把手部４、掃除機本体３より着脱でき塵埃を捕集する集塵部５、この集塵部５と前記吸込具１を連通する吸引通路で、把手部４にセットされたホース６、掃除機本体３の上方に設けられ操作するときに握るハンドル７から構成されている。また、前記掃除機本体３には、電動送風機２が発する排気を排出する排出穴（図示せず）が設けられている。
【００１３】
ホース６は一端を掃除機本体３に固定されており、他端が着脱自在になっている。本体スイッチ８はハンドル７についている。また、電源コード９は掃除機本体３の後方からでている。
【００１４】
図２〜図４は、電気掃除機の集塵部５の構成を説明する集塵部５の要部断面図である。塵埃分離部１０はフィルターケース１１と隔壁１２からなり、隔壁１２は集塵部下部部材１３の掃除機本体３のホース６の固定部につながる連結部Ａ１４に連結部Ｂ１５はつながっている。また、フィルターケース１１の中央部下面にはメッシュフィルター１６が取り付けてあり、内部にスポンジフィルター１７を備えている。メッシュフィルター１６は連結部Ａ１４、および、連結部Ｂ１５の内部上面と同じ高さにある。また、フィルターケース１１と隔壁１２は左右方向に回転させて取り付け取り外しができるようになっている。
【００１５】
また、集塵部下部部材１３と隔壁１２とで囲まれた部分が塵埃捕集部１８であり、塵埃分離部１０で分離された塵埃がたまるようになっている。また、突出部１９は集塵部下部部材１３に構成され、塵埃捕集部１８と塵埃分離部１０をつなぐようにしている。
【００１６】
フィルターケース１１はパッキン２０を有しており、このパッキン２０で集塵蓋２１とのタイト、集塵部下部部材１３とのタイトを行っている。また、フィルターケース１１と集塵蓋２１、集塵蓋２１と集塵部下部部材１３は左右方向に回転させて取り付け取り外しができるようになっている。このため、フィルターケース１１と集塵蓋２１、フィルターケース１１と隔壁１２、集塵蓋２１と集塵部下部部材１３を取り付け取り外しする方向はすべて同じ方向になっている。このときの、保持力は集塵部下部部材１３と集塵蓋２１の保持力が最も軽く、隔壁１２とフィルターケース１１の保持力、フィルターケース１１と集塵蓋２１の保持力が最も高くなっていて、取り付けているのに他の部分が外れたりしないように取り付け、取り外しは同じ方向にしてある。
【００１７】
また、集塵部下部部材１３の連結部Ａ１４は、吸込具１よりホース５を介して塵埃を含んだ気流が流入するため、略半円形断面として気流流速を増加させている。
【００１８】
以上のように構成された電気掃除機において図１、図２を用いて、その動作を説明する。
【００１９】
掃除機本体３の電源コード９をコンセントに差しハンドル７に設けられた本体スイッチ８を操作して、掃除機本体３を運転する。電動送風機２の吸引力で、吸込具１から床面の塵埃を吸込み、集塵部５に塵埃を捕獲する。吸込具１から吸込まれた塵埃は、掃除機本体３のホース６の固定部を通り、連結部Ａ１４、隔壁１２の連結部Ｂ１５を通過し、遠心力で内壁Ａ２２に沿って流れ、隔壁１２と集塵部５の突出部１９とでつくられた通路から塵埃捕集部１８に入る。突出部１９により塵埃分離部１０と塵埃捕集部１８はつながっており、この突出部１９に沿って塵埃は塵埃捕集部１８に落ちる。この時、気流は隔壁１２上で突出部１９の下方に行かず塵埃のみを落下させる。この気流は隔壁１２の内壁Ａ２２をさらに回り、次の気流に合流する、あるいは、上方のメッシュフィルター１６を通過し、スポンジフィルター１７を通過し、電動送風機２に行く。
【００２０】
塵埃が塵埃捕集部１８に溜まり、内部の塵埃を捨てる場合にはフィルターケース１１、隔壁１２が取り付いた集塵蓋２１を外し、塵埃捕集部１８の塵埃を捨てることができる。
【００２１】
また、内部のスポンジフィルター１７をお手入れするためには、隔壁１２をフィルターケース１１から外し、また、フィルターケース１１を集塵蓋２１から外してお手入れを行う。取り付け、取り外しは爪嵌合等にて行う。
【００２２】
ここで、効果を説明すると、通常はこのメッシュフィルター１６に対して連結部Ａ１４、連結部Ｂ１５が同じ高さにしており、気流に混じった塵埃がメッシュフィルター１６の表面を流れることにより、メッシュフィルター１６に塵埃が引っかかったとしても次にくる塵埃により引っかかった塵埃を除去するセルフクリーニングを行わせている。メッシュフィルター１６に対して、連結部Ａ１４、連結部Ｂ１５が同一高さでなく隙間があると気流がメッシュフィルターＡ１６に対して塵埃が付着するように流れ、塵埃がとれず、すぐに吸引力が低下する。また、メッシュフィルター１６の材料を金属の蒸着品を使うことにより、塵埃を滑りやすくすることができる。
【００２３】
また、連結部Ａ１４、連結部Ｂ１５の形状を絞ることにより流入する気流の風速を増しより、塵埃がメッシュフィルター１６につかないようにしている。
【００２４】
また、塵埃は気流により突出部１９に持っていかれ、穴形状によっては、気流は突出部１９に入り込むが、塵埃のみ集塵捕集部１８に入れ、気流はこの突出部１９から出てくる。この場合、塵埃には圧縮がかからずに堆積するのみである。
【００２５】
（実施の形態２）
本発明の第２の実施の形態について図１、および図５〜図７を基に説明する。なお、上記実施の形態と同一部分については同一符号を付してその説明を省略する。
【００２６】
隔壁１２の塵埃分離部１０に使われていない側にバイパス用の孔Ａ２３が設けられ、メッシュフィルターＢ２４がついている。また、フィルターケース１１も同様に塵埃分離部１０に使われていない側にバイパス用の孔Ａ２３と同じバイパス用の孔Ｂ２５設けられており、メッシュフィルターＣ２６がついている。
【００２７】
以上のように構成された電気掃除機において図１、および図５〜図７を用いて、その動作を説明する。
【００２８】
掃除機本体３の電源コード９をコンセントに差しハンドル７に設けられた本体スイッチ８を操作して、掃除機本体３を運転する。電動送風機２の吸引力で、吸込具１から床面の塵埃を吸込み、集塵部５に塵埃を捕獲する。吸込具１から吸込まれた塵埃は、掃除機本体３のホース６の固定部を通り、連結部Ａ１４、隔壁１２の連結部Ｂ１５を通過し、遠心力で内壁Ａ２２に沿って流れ、隔壁１２と集塵部５の突出部１９とでつくられた通路から塵埃捕集部１８に入る。突出部１９により塵埃分離部１０と塵埃捕集部１８はつながっており、この突出部１９に沿って塵埃は塵埃捕集部１８に落ちる。この時、集塵捕集部１８が円筒形状であれば、塵埃は、気流により回転しながら落下し、集塵捕集部１８の底部でも気流により回転する。回転している気流は底面中心から上方に上がるが、重い塵埃は集塵捕集部１８の底部に残し、気流だけが隔壁１２のバイパス用の孔Ａ２３からさらに上方に上がり、フィルターケース１１に設けられたバイパス用の孔Ｂ２５を通りスポンジフィルター１７を通過して掃除機本体３内の電動送風機２に気流をもどす。また、気流は塵埃を塵埃分離部１０で隔壁１２に沿って塵埃捕獲部１８に行かせるものと、フィルターケース１１に設けられたメッシュフィルター１６から上方に抜け、スポンジフィルター１７を通り電動送風機２に行くものがある。
【００２９】
ここで、効果を説明すると、塵埃分離部１０内から突出部１９を通じて塵埃捕集部１８、バイパス用の孔Ａ２３、バイパス用の孔Ｂ２５を通る気流をつくり、塵埃捕集部１８に入る塵埃を圧縮して塵埃をたくさん入れることができる。
【００３０】
（実施の形態３）
本発明の第３の実施の形態について図１と図８をもとに説明する。なお、上記実施の形態と同一部分については同一符号を付してその説明を省略する。
【００３１】
隔壁１２の下部に着脱自在なネット部材２７が設けられている。
【００３２】
以上のように構成された電気掃除機において図１と図８を用いて、その動作を説明する。
【００３３】
掃除機本体３の電源コード９をコンセントに差しハンドル７に設けられた本体スイッチ８を操作して、掃除機本体３を運転する。電動送風機２の吸引力で、吸込具１から床面の塵埃を吸込み、集塵部５に塵埃を捕獲する。吸込具１から吸込まれた塵埃は、掃除機本体３のホース６の固定部を通り、連結部Ａ１４、隔壁１２の連結部Ｂ１５を通過し、遠心力で内壁Ａ２２に沿って流れ、隔壁１２と集塵部５の突出部１９とでつくられた通路から塵埃捕集部１８に入る。突出部１９により塵埃分離部１０と塵埃捕集部１８はつながっており、この突出部１９に沿って塵埃は塵埃捕集部１８に落ちる。この時、集塵捕集部１８が円筒形状であれば、塵埃は、気流により回転しながら落下し、集塵捕集部１８の底部でも気流により回転する。回転している気流は底面中心から上方に上がるが、重い塵埃は集塵捕集部１８の底部に残し、気流だけが隔壁１２の下部に設けられた着脱自在なネット部材２７を通り、バイパス用の孔Ａ２３からさらに上方に上がり、フィルターケース１１に設けられたバイパス用の孔Ｂ２５を通りスポンジフィルター１７を通過して掃除機本体３内の電動送風機２に気流をもどす。また、気流は塵埃を塵埃分離部１０で隔壁１２に沿って塵埃捕獲部１８に行かせるものと、フィルターケース１１に設けられたメッシュフィルター１６から上方に抜け、スポンジフィルター１７を通り電動送風機２に行くものがある。
【００３４】
ここで、効果を説明すると、塵埃分離部１０内から突出部１９を通じて塵埃捕集部１８、バイパス用の孔Ａ２３、バイパス用の孔Ｂ２５を通る気流をつくり、バイパス用の孔Ａ２３が目詰まりするのを、ネット面積の広い着脱自在なネット部材２７を設けたことにより、塵埃をここで止め、バイパス用の孔Ａ２３が目詰まりしにくくし、吸引力が落ちにくくし、さらに、塵埃捕集部１８に入る塵埃を圧縮して塵埃をたくさん入れることができる。
【００３５】
（実施の形態４）
本発明の第４の実施の形態について図１、図８、及び図９をもとに説明する。なお、上記実施の形態と同一部分については同一符号を付してその説明を省略する。
【００３６】
隔壁１２の突出部１９につながる部分にリブ２８を設けられている。
【００３７】
以上のように構成された電気掃除機において図１、図８、及び図９を用いて、その動作を説明する。
【００３８】
掃除機本体３の電源コード９をコンセントに差しハンドル７に設けられた本体スイッチ８を操作して、掃除機本体３を運転する。電動送風機２の吸引力で、吸込具１から床面の塵埃を吸込み、集塵部５に塵埃を捕獲する。吸込具１から吸込まれた塵埃は、掃除機本体３のホース６の固定部を通り、連結部Ａ１４、隔壁１２の連結部Ｂ１５を通過し、遠心力で内壁Ａ２２に沿って流れ、隔壁１２とリブ２８が設けられた間から集塵部５の突出部１９とでつくられた通路に塵埃が運ばれる。突出部１９により塵埃分離部１０と塵埃捕集部１８はつながっており、この突出部１９に沿って塵埃は塵埃捕集部１８に落ちる。この時、集塵捕集部１８が円筒形状であれば、塵埃は、気流により回転しながら落下し、集塵捕集部１８の底部でも気流により回転する。回転している気流は底面中心から上方に上がるが、重い塵埃は集塵捕集部１８の底部に残し、気流だけが隔壁１２の下部に設けられた着脱自在なネット部材２７を通り、バイパス用の孔Ａ２３からさらに上方に上がり、フィルターケース１１に設けられたバイパス用の孔Ｂ２５を通りスポンジフィルター１７を通過して掃除機本体３内の電動送風機２に気流をもどす。また、気流は塵埃を塵埃分離部１０で隔壁１２に沿って塵埃捕獲部１８に行かせるものと、フィルターケース１１に設けられたメッシュフィルター１６から上方に抜け、スポンジフィルター１７を通り電動送風機２に行くものがある。
【００３９】
ここで、効果を説明すると、塵埃分離部１０内から突出部１９に塵埃を流し込むのに、リブ２８を設けることにより、突出部１９に流れ込む気流だけにすることができ、大きな塵埃でも、塵埃捕獲部１８に流し込むことができ、塵埃をたくさん入れることができる。
リブ２８がない場合は、突出部１９に流れ込むのと塵埃分離部１０内で旋回、次の気流に合流するものがあり大きな塵埃が塵埃捕獲部１８に入らず、塵埃分離部１０内に止まってしまうことがあった。
【００４０】
（実施の形態５）
本発明の第５の実施の形態について図１、図８、及び図１０をもとに説明する。なお、上記実施の形態と同一部分については同一符号を付してその説明を省略する。
【００４１】
塵埃分離部１０の突出部１９につながる部分を突出部１９につながる略逆Ｒ形状部２９にしたことである。
【００４２】
以上のように構成された電気掃除機において図１、図８、及び図１０を用いて、その動作を説明する。
【００４３】
掃除機本体３の電源コード９をコンセントに差しハンドル７に設けられた本体スイッチ８を操作して、掃除機本体３を運転する。電動送風機２の吸引力で、吸込具１から床面の塵埃を吸込み、集塵部５に塵埃を捕獲する。吸込具１から吸込まれた塵埃は、掃除機本体３のホース６の固定部を通り、連結部Ａ１４、隔壁１２の連結部Ｂ１５を通過し、遠心力で内壁Ａ２２に沿って流れ、隔壁１２と集塵部５の突出部１９とでつくられた通路に塵埃が運ばれる。この時突出部１９につながる隔壁１２の形状を略逆Ｒ形状部２９にしている。突出部１９により塵埃分離部１０と塵埃捕集部１８はつながっており、この突出部１９に沿って塵埃は塵埃捕集部１８に落ちる。この時、集塵捕集部１８が円筒形状であれば、塵埃は、気流により回転しながら落下し、集塵捕集部１８の底部でも気流により回転する。回転している気流は底面中心から上方に上がるが、重い塵埃は集塵捕集部１８の底部に残し、気流だけが隔壁１２の下部に設けられた着脱自在なネット部材２７を通り、バイパス用の孔Ａ２３からさらに上方に上がり、フィルターケース１１に設けられたバイパス用の孔Ｂ２５を通りスポンジフィルター１７を通過して掃除機本体３内の電動送風機２に気流をもどす。また、気流は塵埃を塵埃分離部１０で隔壁１２に沿って塵埃捕獲部１８に行かせるものと、フィルターケース１１に設けられたメッシュフィルター１６から上方に抜け、スポンジフィルター１７を通り電動送風機２に行くものがある。
【００４４】
ここで、効果を説明すると、塵埃分離部１０内から突出部１９に塵埃を流し込むのに、突出部１９につながる隔壁１２の形状を略逆Ｒ形状部２９にしているため、角、エッジがなく気流の流れを乱すことなく、大きな塵埃を有効的に塵埃捕集部１８に送り込むことができる。
【００４５】
（実施の形態６）
本発明の第６の実施の形態について図１、図１１をもとに説明する。なお、上記実施の形態と同一部分については同一符号を付してその説明を省略する。
【００４６】
塵埃分離部１０の突出部１９につながる部分に、塵埃捕集部１８につながるＲ形状部３０にしたことである。
【００４７】
以上のように構成された電気掃除機において図１、図１１を用いて、その動作を説明する。
【００４８】
掃除機本体３の電源コード９をコンセントに差しハンドル７に設けられた本体スイッチ８を操作して、掃除機本体３を運転する。電動送風機２の吸引力で、吸込具１から床面の塵埃を吸込み、集塵部５に塵埃を捕獲する。吸込具１から吸込まれた塵埃は、掃除機本体３のホース６の固定部を通り、連結部Ａ１４、隔壁１２の連結部Ｂ１５を通過し、遠心力で内壁Ａ２２に沿って流れ、隔壁１２と集塵部５の突出部１９とでつくられた通路に塵埃が運ばれる。この時突出部１９につながる隔壁１２の形状を塵埃捕集部１８につながるＲ形状部３０にしており、塵埃が突出部１９の内部に運びこまれ易くしている。この時、集塵捕集部１８が円筒形状であれば、塵埃は、気流により回転しながら落下し、集塵捕集部１８の底部でも気流により回転する。回転している気流は底面中心から上方に上がるが、重い塵埃は集塵捕集部１８の底部に残し、気流だけが隔壁１２の下部に設けられた着脱自在なネット部材２７を通り、バイパス用の孔Ａ２３からさらに上方に上がり、フィルターケース１１に設けられたバイパス用の孔Ｂ２５を通りスポンジフィルター１７を通過して掃除機本体３内の電動送風機２に気流をもどす。また、気流は塵埃を塵埃分離部１０で隔壁１２に沿って塵埃捕獲部１８に行かせるものと、フィルターケース１１に設けられたメッシュフィルター１６から上方に抜け、スポンジフィルター１７を通り電動送風機２に行くものがある。
【００４９】
ここで、効果を説明すると、塵埃分離部１０内から突出部１９に塵埃を流し込むのに、突出部１９につながる隔壁１２の形状を塵埃捕集部１８につながるＲ形状部３０にしているため、塵埃が突出部１９の内部に運ぶ気流をスムーズなＲで導き、整流するため塵埃が、突出部１９に入りやすくなっている。
【００５０】
（実施の形態７）
本発明の第７の実施の形態について図１、図８をもとに説明する。なお、上記実施の形態と同一部分については同一符号を付してその説明を省略する。
【００５１】
塵埃分離部１０の隔壁１２の材料を透明部材にしたことである。
【００５２】
以上のように構成された電気掃除機において図１、図８を用いて、その動作を説明する。
【００５３】
掃除機本体３の電源コード９をコンセントに差しハンドル７に設けられた本体スイッチ８を操作して、掃除機本体３を運転する。電動送風機２の吸引力で、吸込具１から床面の塵埃を吸込み、集塵部５に塵埃を捕獲する。吸込具１から吸込まれた塵埃は、掃除機本体３のホース６の固定部を通り、連結部Ａ１４、隔壁１２の連結部Ｂ１５を通過し、遠心力で内壁Ａ２２に沿って流れ、隔壁１２と集塵部５の突出部１９とでつくられた通路に塵埃が運ばれる。突出部１９により塵埃分離部１０と塵埃捕集部１８はつながっており、この突出部１９に沿って塵埃は塵埃捕集部１８に落ちる。この時、集塵捕集部１８が円筒形状であれば、塵埃は、気流により回転しながら落下し、集塵捕集部１８の底部でも気流により回転する。回転している気流は底面中心から上方に上がるが、重い塵埃は集塵捕集部１８の底部に残し、気流だけが隔壁１２の下部に設けられた着脱自在なネット部材２７を通り、バイパス用の孔Ａ２３からさらに上方に上がり、フィルターケース１１に設けられたバイパス用の孔Ｂ２５を通りスポンジフィルター１７を通過して掃除機本体３内の電動送風機２に気流をもどす。また、気流は塵埃を塵埃分離部１０で隔壁１２に沿って塵埃捕獲部１８に行かせるものと、フィルターケース１１に設けられたメッシュフィルター１６から上方に抜け、スポンジフィルター１７を通り電動送風機２に行くものがある。
【００５４】
ここで、効果を説明すると、通常集塵部５は透明部材で出来ているが、塵埃分離部１０内から突出部１９に塵埃を流し込むところは大きな塵埃が引っかかりやすいため、引っかかったのがすぐにわかるように塵埃分離部１０を透明部材にしてよりわかりやすいようにしたことである。
【産業上の利用可能性】
【００５５】
以上のように、本発明にかかる電気掃除機は、塵埃の捕獲性能を高くし、集塵部のお手入れをし易くし、実用性でも極めて有用なものである。
【図面の簡単な説明】
【００５６】
【図１】本発明の実施の形態１〜７における電気掃除機のイメージ図
【図２】本発明の実施の形態１における電気掃除機の集塵部の縦断面図
【図３】同、電気掃除機の隔壁の要部断面図
【図４】同、電気掃除機の隔壁の他の要部断面図
【図５】本発明の実施の形態２における電気掃除機の集塵部の縦断面図
【図６】同、電気掃除機の隔壁の要部断面図
【図７】同、電気掃除機の隔壁の他の要部断面図
【図８】本発明の実施の形態３〜５における電気掃除機の集塵部の縦断面図
【図９】本発明の実施の形態４における電気掃除機の隔壁の要部断面図
【図１０】本発明の実施の形態５における電気掃除機の隔壁の他の要部断面図
【図１１】本発明の実施の形態６における電気掃除機の集塵部の縦断面図
【図１２】従来の電気掃除機を示すイメージ図
【符号の説明】
【００５７】
１    吸込具
２    電動送風機
５    集塵部
１０  塵埃分離部
１４  連結部Ａ（連結部）
１５  連結部Ｂ（連結部）
１６  メッシュフィルター
１７  スポンジフィルター
１８  塵埃捕集部
１９  突出部
２３  バイパス用の孔Ａ
２５  バイパス用の孔Ｂ
２７  着脱自在なネット部材
２８  リブ
２９  略逆Ｒ形状部
３０  Ｒ形状部
【図１】
2006255253.tif 000003
【図２】
2006255253.tif 000004
【図３】
2006255253.tif 000005
【図４】
2006255253.tif 000006
【図５】
2006255253.tif 000007
【図６】
2006255253.tif 000008
【図７】
2006255253.tif 000009
【図８】
2006255253.tif 000010
【図９】
2006255253.tif 000011
【図１０】
2006255253.tif 000012
【図１１】
2006255253.tif 000013
【図１２】
2006255253.tif 000014